(57)【特許請求の範囲】
【請求項１】
複数のシステム構成機器を含むプロセスシステムの管理システムに 適用され、端末装置にネットワーク回線を介して互いに送受信可能に接続されたサーバ装置であって、
前記プロセスシステムを構成する複数のシステム構成機器のうち少なくとも特定のシステム構成機器の配置位置を示す配置マップを表示するための基本配置マップ情報、及び、前記複数のシステム構成機器の接続関係を示すプロセスマップを表示するための基本プロセスマップ情報を記憶するマップ情報記憶部と、
前記特定のシステム構成機器に関連する他のシステム構成機器の識別情報を、前記特定のシステム構成機器の識別情報と関連づけた関連情報を記憶する関連情報記憶部と、
前記マップ情報記憶部に記憶されている前記基本配置マップ情報、及び 、前記基本プロセスマップ情報に基づいて、前記端末装置の表示部に前記配置マップ及び前記プロセスマップを切り換えて表示させる又は並べて表示させるための、表示配置マップ情報及び表示プロセスマップ情報を生成するマップ情報生成部と、
前記複数のシステム構成機器の動作状態の情報を、前記複数のシステム構成機器の識別情報に関連づけて記憶する動作状態記憶部と、
を備え、
前記マップ情報生成部は、
前記動作状態記憶部の情報に基づいて、前記特定のシステム構成機器を前記動作状態を特定可能な表示態様で前記配置マップに表示する前記表示配置マップ情報を生成し、
前記関連情報記憶部の情報に基づいて、前記配置マップにおいて前記端末装置の操作部を介して指定された前記システム構成機器に関連する他のシステム構成機器を特定し、前記動作状態記憶部の情報に基づいて、前記指定されたシステム構成機器及び前記特定した他のシステム構成機器を、識別可能に且つ前記動作状態を特定可能な表示態様で前記プロセスマップに表示する前記表示プロセスマップ情報を生成する、
サーバ装置。
【請求項２】
前記端末装置の操作部では、前記表示部に表示された配置マップ内の位置を指定する操作入力が受け付けられ、
前記マップ情報生成部は、
前記関連情報記憶部の情報に基づいて、前記端末装置から送信された配置マップ内の位置情報から、前記端末装置の操作部において指定されたシステム構成機器を特定する、
請求項１に記載のサーバ装置。
【請求項３】
前記端末装置の表示部では、前記配置マップ及び前記プロセスマップが切り換えて表示され、
前記マップ情報生成部は、
前記配置マップ内の位置情報が受信された場合、前記端末装置の表示部に表示されている前記配置マップの表示を前記プロセスマップに切り換えさせるべく、前記表示プロセスマップ情報を生成する、
請求項２に記載のサーバ装置。
【請求項４】
前記マップ情報生成部は、さらに、
前記表示配置マップ情報及び前記表示プロセスマップ情報を生成するに際し、前記指定されたシステム構成機器及び前記特定した他のシステム構成機器のそれぞれの動作状態を特定可能な表示態様として、前記動作状態に応じて形状、色彩、点滅間隔のいずれかを異なるようにする請求項１〜３のいずれかに記載のサーバ装置。
【請求項５】
前記特定の構成機器は、前記プロセスシステムにおいて発生するドレンを排出するスチームトラップであり、
前記動作状態記憶部は、さらに、
前記特定の構成機器の動作状態の情報として、前記スチームトラップに関する温度及び振動の情報に基づいて判定された状態を用いる請求項１〜４のいずれかに記載のサーバ装置。
【請求項６】
前記動作状態記憶部は、さらに、
前記特定の構成機器の動作状態として、正しい動作状態を示す正常状態、正常ではない動作状態を示す異常状態、及び、動作が停止している状態にある休止状態を用いる請求項５に記載のサーバ装置。
【請求項７】
複数のシステム構成機器を含むプロセスシステムの管理システムであって、
前記プロセスシステムを構成する複数のシステム構成機器のうち少なくとも特定のシステム構成機器の配置位置を示す配置マップを表示するための基本配置マップ情報、及び、前記複数のシステム構成機器の接続関係を示すプロセスマップを表示するための基本プロセスマップ情報を記憶するマップ情報記憶部と、
前記特定のシステム構成機器に関連する他のシステム構成機器の識別情報を、前記特定のシステム構成機器の識別情報と関連づけた関連 情報を記憶する関連情報記憶部と、
前記マップ情報記憶部に記憶されている前記基本配置マップ情報、及び、前記基本プロセスマップ情報に基づいて、前記配置マップを表示するための表示配置マップ情報及び前記プロセスマップを表示するための表示プロセスマップ情報を生成するマップ情報生成部と、
前記複数のシステム構成機器の動作状態の情報を、前記複数のシステム構成機器の識別情報に関連づけて記憶する動作状態記憶部と、
前記表示配置マップ情報及び前記表示プロセスマップ情報を用いて、前記配置マップ及び前記プロセスマップを、切り換えて表示する、又は、並べて表示する表示部と、
前記特定のシステム構成機器のうちの一つを指定する操作入力を受け付ける操作部と、
を備え、
前記マップ情報生成部は、
前記動作状態記憶部の情報に基づいて、前記特定のシステム構成機器を、前記動作状態を特定可能な表示態様で前記配置マップに表示する前記表示配置マップ情報を生成し、
前記関連情報記憶部の情報に基づいて、前記配置マップにおいて前記操作部を介して指定された前記システム構成機器に関連する他のシステム構成機器を特定し、前記動作状態記憶部の情報に基づいて、前記指定されたシステム構成機器及び前記特定した他のシステム構成機器を、識別可能に且つ前記動作状態を特定可能な表示態様で前記プロセスマップに表示する前記表示プロセスマップ情報を生成する、
プロセスシステムの管理システム。
【請求項８】
コンピュータを、複数のシステム構成機器を含むプロセスシステムの管理システムに適用され、端末装置にネットワーク回線を介して互いに送受信可能に接続されたサーバ装置として機能させるプロセスシステムの管理プログラムであって、
前記管理プログラムは、コンピュータを、前記プロセスシステムを構成する複数のシステム構成機器のうち少なくとも特定のシステム構成機器の配置位置を示す配置マップを表示するための基本配置マップ情報、及び、前記複数のシステム構成機器の接続関係を示すプロセスマップを表示するための基本プロセスマップ情報に基づいて、前記端末装置の表示部に前記配置マップ及び前記プロセスマップを切り換えて表示させる又は並べて表示させるための、表示配置マップ情報及び表示プロセスマップ情報を生成するマップ情報生成部、
として機能させ、
前記マップ情報生成部を、
前記複数のシステム構成機器の動作状態の情報を、前記複数のシステム構成機器の識別情報に関連づけられた動作状態情報に基づいて、前記特定のシステム構成機器を前記動作状態を特定可能な表示態様で前記配置マップに表示する前記表示配置マップ情報を生成し、
前記特定のシステム構成機器に関連する他のシステム構成機器の識別情報が前記特定のシステム構成機器の識別情報と関連づけられた関連情報に基づいて、前記配置マップにおいて前記端末装置の操作部を介して指定されたシステム構成機器に関連する他のシステム構成機器を特定し、前記動作状態情報に基づいて、前記指定されたシステム構成機器及び前記特定した他のシステム構成機器を、識別可能に且つ前記動作状態を特定可能な表示態様で前記プロセスマップに表示する前記表示プロセスマップ情報を生成するもの、
として機能させるプロセスシステムの管理プログラム。
【請求項９】
コンピュータによって実行される複数のシステム構成機器を含むプロセスシステムの管理方法であって、
前記プロセスシステムを構成する複数のシステム構成機器のうち少なくとも特定のシステム構成機器の配置位置を示す配置マップを表示するための基本配置マップ情報、及び、前記複数のシステム構成機器の接続関係を示すプロセスマップを表示するための基本プロセスマップ情報を記憶するマップ情報記憶部にアクセスする工程と、
前記特定のシステム構成機器に関連する他のシステム構成機器の識 別情報を、前記特定のシステム構成機器の識別情報と関連づけた関連情報を記憶する関連情報記憶部にアクセスする工程と、
前記マップ情報記憶部に記憶されている前記基本配置マップ情報、及び、前記基本プロセスマップ情報に基づいて、前記配置マップを表示するための表示配置マップ情報及び前記プロセスマップを表示するための表示プロセスマップ情報を生成するマップ情報生成工程と、
前記複数のシステム構成機器の動作状態の情報を、前記複数のシステム構成機器の識別情報に関連づけて記憶する動作状態記憶部にアクセスする工程と、
前記表示配置マップ情報及び前記表示プロセスマップ情報を用いて、前記配置マップ及び前記プロセスマップを、切り換えて表示する、又は、並べて表示する表示工程と、
前記特定のシステム構成機器のうちの一つを指定する操作入力を受け付ける操作工程と、を備え、
前記マップ情報生成工程は、
前記動作状態記憶部の情報に基づいて、前記特定のシステム構成機器を前記動作状態を特定可能な表示態様で前記配置マップに表示する前記表示配置マップ情報を生成し、
前記関連情報記憶部の情報に基づいて、前記配置マップにおいて前記操作工程を介して指定された前記システム構成機器に関連する他のシステム構成機器を特定し、前記動作状態記憶部の情報に基づいて、前記指定されたシステム構成機器及び前記特定した他のシステム構成機器を、識別可能に且つ前記動作状態を特定可能な表示態様で前記プロセスマップに表示する前記表示プロセスマップ情報を生成する、プロセスシステムの管理方法。
【発明の詳細な説明】
【技術分野】
【０００１】  この発明は、複数のシステム構成機器を含むプロセスシステムの管理システム、この管理システムのサーバ装置、このサーバ装置の管理プログラム、及び、プロセスシステムの管理方法に関する。
【背景技術】
【０００２】  蒸気プラントなどの設備において、蒸気使用機器に蒸気を供給するのに蒸気供給システムなどのプロセスシステムが用いられている。蒸気供給システムには、ボイラなどの蒸気発生装置、蒸気を輸送する輸送管、ドレンを排出するスチームトラップ及び蒸気を使用する蒸気使用機器などのシステム構成機器から構成される。蒸気プラントは、特開２０１０−０２４８９９号公報及び特開２０１３−１５５８９６号公報に例示されている。【０００３】  蒸気供給システムにおいて、蒸気の一部が凝縮することによって発生するドレンは、蒸気使用機器の運転効率を低下させるなどの原因となる。そのため、蒸気供給システムの要所にスチームトラップを配置してドレンの排出を行っている。このドレンの排出機能を維持するためスチームトラップの点検及び補修などが定期的に行われている。【０００４】  スチームトラップの点検では、作業者がスチームトラップ１台１台に対して検査機器を使用し、蒸気漏洩量などを調査する。蒸気漏洩量が大きいスチームトラップは、正常なスチームトラップに交換され、又は、一部の部品が交換されるなどして補修が行われる。あるいは、定期的に新しいスチームトラップに交換を行う場合もある。補修の作業者は、スチームトラップの配置位置が記載されているエリアマップを参照しつつ該当するスチームトラップを特定して作業を行う。【０００５】  このようなスチームトラップは、蒸気供給システムの各所に設置され、例えば巨大プラントなどの蒸気供給システムでは数万台が設置される。
【先行技術文献】
【特許文献】
【０００６】
【特許文献１】特開２０１０−０２４８９９号公報
【特許文献２】特開２０１３−１５５８９６号公報
【発明の概要】
【発明が解決しようとする課題】
【０００７】  上述したように、スチームトラップは、主として蒸気漏洩量の大きいものが交換等の対象となるが、他のシステム構成機器などとの関連性によって、交換の緊急性が低いスチームトラップも存在する。例えば、同一の輸送管に複数台のスチームトラップが接続されている場合がある。この場合は、複数台スチームトラップのうちの１台のスチームトラップの交換が必要であったとしても、上記１台のスチームトラップを除いた残りのスチームトラップが正常に機能していればある程度のドレン排出機能は維持できるため、交換の緊急性はあまり高くない。したがって、上記１台のスチームトラップよりも交換の緊急性が高いスチームトラップから優先して交換作業を行うのが蒸気供給システムの運転効率を維持する上で有効である。しかしながら、他のシステム構成機器との関連性を考慮することは、作業者に高いスキルが求められる。【０００８】  この発明は、プロセスシステムを構成する複数のシステム構成機器のそれぞれに対する他のシステム構成機器との関連性を容易に把握することができるプロセスシステムの管理システム、この管理システムのサーバ装置、このサーバ装置の管理プログラム及び管理方法を提供することを目的とする。
【課題を解決するための手段】
【０００９】
本発明の第１の側面によって提供される、複数のシステム構成機器を含むプロセスシステムの管理システムに適用され、端末装置にネットワーク回線を介して互いに送受信可能に接続されたサーバ装置は、マップ情報記憶部、関連情報記憶部、マップ情報生成部、動作状態記憶部を備えている。マップ情報記憶部は、前記プロセスシステムを構成する複数のシステム構成機器のうち少なくとも特定のシステム構成機器の配置位置を示す配置マップを表示するための基本配置マップ情報、及び、前記複数のシステム構成機器の接続関係を示すプロセスマップを表示するための基本プロセスマップ情報を記憶する。関連情報記憶部は、前記特定のシステム構成機器に関連する他のシステム構成機器の識別情報を、前記特定のシステム構成機器の識別情報と関連づけた関連情報を記憶する。マップ情報生成部は、前記マップ情報記憶部に記憶されている前記基本配置マップ情報、及び、前記基本プロセスマップ情報に基づいて、前記端末装置の表示部に前記配置マップ及び前記プロセスマップを切り換えて表示させる又は並べて表示させるための、表示配置マップ情報及び表示プロセスマップ情報を生成する。動作状態記憶部は、前記複数のシステム構成機器の動作状態の情報を、前記複数のシステム構成機器の識別情報に関連づけて記憶する。また、マップ情報生成部は、前記動作状態記憶部の情報に基づいて、前記特定のシステム構成機器を前記動作状態を特定可能な表示態様で前記配置マップに表示する前記表示配置マップ情報を生成し、前記関連情報記憶部の情報に基づいて、前記配置マップにおいて前記端末装置の操作部を介して指定された前記システム構成機器に関連する他のシステム構成機器を特定し、前記動作状態記憶部の情報に基づいて、前記指定されたシステム構成機器及び前記特定した他のシステム構成機器を、識別可能に且つ前記動作状態を特定可能な表示態様で前記プロセスマップに表示する前記表示プロセスマップ情報を生成する。
【００１１】  前記端末装置の操作部では、前記表示部に表示された配置マップ内の位置を指定する操作入力が受け付けられ、前記マップ情報生成部は、前記関連情報記憶部の情報に基づいて、前記端末装置から送信された配置マップ内の位置情報から、前記端末装置の操作部において指定されたシステム構成機器を特定するようにしてもよい。【００１２】  前記端末装置の表示部では、前記配置マップ及び前記プロセスマップが切り換えて表示され、前記マップ情報生成部は、前記配置マップ内の位置情報が受信された場合、前記端末装置の表示部に表示されている前記配置マップの表示を前記プロセスマップに切り換えさせるべく、前記表示プロセスマップ情報を生成するようにしてもよい。【００１４】
前記マップ情報生成部は、さらに、前記表示配置マップ情報及び前記表示プロセスマップ情報を生成するに際し、前記指定されたシステム構成機器及び前記特定した他のシステム構成機器のそれぞれの動作状態を特定可能な表示態様として、前記動作状態に応じて形状、色彩、点滅間隔のいずれかを異なるようにしてもよい。
【００１５】
前記特定の構成機器は、前記プロセスシステムにおいて発生するドレンを排出するスチームトラップであり、前記動作状態記憶部は、さらに、前記特定の構成機器の動作状態の情報として、前記スチームトラップに関する温度及び振動の情報に基づいて判定された状態を用いてもよい。
【００１６】
前記前記動作状態記憶部は、さらに、前記特定の構成機器の動作状態として、正しい動作状態を示す正常状態、正常ではない動作状態を示す異常状態、及び、動作が停止している状態にある休止状態を用いてもよい。
【００１７】
本発明の第２の側面によって提供される複数のシステム構成機器を含むプロセスシステムの管理システムは、マップ情報記憶部、関連情報記憶部、マップ情報生成部、動作状態記憶部、表示部、操作部を備えている。マップ情報記憶部は、前記プロセスシステムを構成する複数のシステム構成機器のうち少なくとも特定のシステム構成機器の配置位置を示す配置マップを表示するための基本配置マップ情報、及び、前記複数のシステム構成機器の接続関係を示すプロセスマップを表示するための基本プロセスマップ情報を記憶する。関連情報記憶部は、前記特定のシステム構成機器に関連する他のシステム構成機器の識別情報を、前記特定のシステム構成機器の識別情報と関連づけた関連情報を記憶する。マップ情報生成部は、前記マップ情報記憶部に記憶されている前記基本配置マップ情報、及び、前記基本プロセスマップ情報に基づいて、前記配置マップを表示するための表示配置マップ情報及び前記プロセスマップを表示するための表示プロセスマップ情報を生成する。動作状態記憶部は、前記複数のシステム構成機器の動作状態の情報を、前記複数のシステム構成機器の識別情報に関連づけて記憶する。表示部は、前記表示配置マップ情報及び前記表示プロセスマップ情報を用いて、前記配置マップ及び前記プロセスマップを、切り換えて表示する、又は、並べて表示する。操作部は、前記特定のシステム構成機器のうちの一つを指定する操作入力を受け付ける。マップ情報生成部は、前記動作状態記憶部の情報に基づいて、前記特定のシステム構成機器を、前記動作状態を特定可能な表示態様で前記配置マップに表示する前記表示配置マップ情報を生成し、前記関連情報記憶部の情報に基づいて、前記配置マップにおいて前記操作部を介して指定された前記システム構成機器に関連する他のシステム構成機器を特定し、前記動作状態記憶部の情報に基づいて、前記指定されたシステム構成機器及び前記特定した他のシステム構成機器を、識別可能に且つ前記動作状態を特定可能な表示態様で前記プロセスマップに表示する前記表示プロセスマップ情報を生成する。
【００１８】
本発明の第３の側面によって提供される、コンピュータを、複数のシステム構成機器を含むプロセスシステムの管理システムに適用され、端末装置にネットワーク回線を介して互いに送受信可能に接続されたサーバ装置として機能させるプロセスシステムの管理プログラムは、コンピュータを、前記プロセスシステムを構成する複数のシステム構成機器のうち少なくとも特定のシステム構成機器の配置位置を示す配置マップを表示するための基本配置マップ情報、及び、前記複数のシステム構成機器の接続関係を示すプロセスマップを表示するための基本プロセスマップ情報に基づいて、前記端末装置の表示部に前記配置マップ及び前記プロセスマップを切り換えて表示させる又は並べて表示させるための、表示配置マップ情報及び表示プロセスマップ情報を生成するマップ情報生成部、として機能させ、前記マップ情報生成部を、前記複数のシステム構成機器の動作状態の情報を、前記複数のシステム構成機器の識別情報に関連づけられた動作状態情報に基づいて、前記特定のシステム構成機器を前記動作状態を特定可能な表示態様で前記配置マップに表示する前記表示配置マップ情報を生成し、前記特定のシステム構成機器に関連する他のシステム構成機器の識別情報が前記特定のシステム構成機器の識別情報と関連づけられた関連情報に基づいて、前記配置マップにおいて前記端末装置の操作部を介して指定されたシステム構成機器に関連する他のシステム構成機器を特定し、前記動作状態情報に基づいて、前記指定されたシステム構成機器及び前記特定した他のシステム構成機器を、識別可能に且つ前記動作状態を特定可能な表示態様で前記プロセスマップに表示する前記表示プロセスマップ情報を生成するもの、として機能させる。
【００１９】
本発明の第４の側面によって提供されるコンピュータによって実行される複数のシステム構成機器を含むプロセスシステムの管理方法は、前記プロセスシステムを構成する複数のシステム構成機器のうち少なくとも特定のシステム構成機器の配置位置を示す配置マップを表示するための基本配置マップ情報、及び、前記複数のシステム構成機器の接続関係を示すプロセスマップを表示するための基本プロセスマップ情報を記憶するマップ情報記憶部にアクセスする工程と、前記特定のシステム構成機器に関連する他のシステム構成機器の識別情報を、前記特定のシステム構成機器の識別情報と関連づけた関連情報を記憶する関連情報記憶部にアクセスする工程と、前記マップ情報記憶部に記憶されている前記基本配置マップ情報、及び、前記基本プロセスマップ情報に基づいて、前記配置マップを表示するための表示配置マップ情報及び前記プロセスマップを表示するための表示プロセスマップ情報を生成するマップ情報生成工程と、前記複数のシステム構成機器の動作状態の情報を、前記複数のシステム構成機器の識別情報に関連づけて記憶する動作状態記憶部にアクセスする工程と、前記表示配置マップ情報及び前記表示プロセスマップ情報を用いて、前記配置マップ及び前記プロセスマップを、切り換えて表示する、又は、並べて表示する表示工程と、前記特定のシステム構成機器のうちの一つを指定する操作入力を受け付ける操作工程と、を備え、前記マップ情報生成工程は、前記動作状態記憶部の情報に基づいて、前記特定のシステム構成機器を前記動作状態を特定可能な表示態様で前記配置マップに表示する前記表示配置マップ情報を生成し、前記関連情報記憶部の情報に基づいて、前記配置マップにおいて前記操作工程を介して指定された前記システム構成機器に関連する他のシステム構成機器を特定し、前記動作状態記憶部の情報に基づいて、前記指定されたシステム構成機器及び前記特定した他のシステム構成機器を、識別可能に且つ前記動作状態を特定可能な表示態様で前記プロセスマップに表示する前記表示プロセスマップ情報を生成する。
【発明の効果】
【００２０】  この発明によれば、システム構成機器の配置位置を示す配置マップに加え、少なくとも特定のシステム構成機器に対して関連のある他のシステム構成機器を特定可能なプロセスマップを表示部に表示できる。したがって、使用者は、対象のシステム構成機器と他のシステム構成機器との関連性を容易に把握することができる。これにより、使用者は、関連性に基づいて作業の優先度などを検討することができ、より効率的にプロセスシステムの運転効率を維持することができる。
【図面の簡単な説明】
【００２１】
【図１】この発明の実施例１に係るプロセスシステムの管理システムの構成を示す図である。
【図２】この発明の実施例１に係るスチームトラップの各種情報を表示するウィンドウ画像の一例を示す図である。
【図３】この発明の実施例１に係るスチームトラップの各種情報を表示するウィンドウ画像の一例を示す図である。
【図４】この発明の実施例１に係る蒸気供給システムのプロセスマップの一部を示す図である。
【図５】この発明の実施例１に係るサーバ装置のブロック図である。
【図６】この発明の実施例１に係るサーバ装置の記憶部に記憶されているデータの一例を示す図であり、（Ａ）はシステム構成機器カルテを、（Ｂ）は基本エリアマップデータを、（Ｃ）は基本プロセスマップデータを、それぞれ示している。
【図７】この発明の実施例１に係る端末装置のブロック図である。
【図８】この発明の実施例１に係るスチームトラップマップ生成及び切換処理の送信要求処理を示すフローチャートである。
【図９】この発明の実施例２に係るプロセスシステムの管理システムの構成を示す図である。
【図１０】この発明の実施例２に係るスチームトラップの各種情報を表示するウィンドウ画像の一例を示す図である。
【図１１】この発明の実施例２に係るスチームトラップの各種情報を表示するウィンドウ画像の一例を示す図である。
【図１２】この発明の実施例２に係るサーバ装置のブロック図である。
【図１３】この発明の実施例２に係るサーバ装置の記憶部に記憶されているシステム構成機器カルテを示す図である。
【図１４】この発明の実施例２に係るスチームトラップの状態情報の更新処理を示すフローチャートである。
【図１５】この発明の実施例２に係るスチームトラップマップ生成及び切換処理を示すフローチャートである。
【発明を実施するための形態】
【００２２】  図面を参照してこの発明の実施形態であるプロセスシステムの管理システム及びそのプログラムについて説明する。なお、本発明の構成は、実施形態に限定されるものではない。また、以下で説明する各種フローを構成する各種処理の順序は、処理内容に矛盾等が生じない範囲で順不同である。
【実施例１】
【００２３】第１  プロセスシステム（蒸気供給システム）の管理システム１の構成  図１は、プロセスシステムの管理システム１の構成を示す図である。この実施例では、プロセスシステムの１つである蒸気供給システムを用いて説明する。管理システム１は、サーバ装置３及び複数の端末装置４などから構成され、蒸気供給システムを構成するシステム構成機器の情報管理を行う。蒸気供給システムは、蒸気プラントなどの設備において蒸気使用機器に蒸気を供給する。システム構成機器には、ボイラなどの蒸気発生装置、蒸気を輸送する輸送管、ドレンを排出するスチームトラップ及び熱交換器等の蒸気を使用する蒸気使用機器などが相当する。この実施例の管理システム１では、システム構成機器の１つであるスチームトラップについて情報管理を行う。【００２４】  サーバ装置３は、ネットワーク回線２を介して複数の端末装置４に接続され、蒸気供給システムに設けられた複数のスチームトラップの各種情報を記憶管理する。スチームトラップの各種情報には、蒸気漏洩量などの検査結果、修理及び交換などのメンテナンス履歴が含まれる。また、スチームトラップの各種情報には、蒸気供給システムが設置されているプラントなどでのスチームトラップの配置位置を示すエリアマップ（配置マップ）、及び、蒸気供給システムのプロセスを示すプロセスマップの情報も含まれる。【００２５】  エリアマップとは、スチームトラップ等のシステム構成機器の物理的な位置関係を示すマップをいう。また、プロセスマップとは、同一のプロセスに属するシステム構成機器を関連付けたマップをいう。なお、同一のプロセスに属するシステム構成機器は、必ずしも物理的に近距離に存在するとは限らない。つまり、同一のプロセスに属するシステム構成機器が、物理的に遠く離れた位置に存在することがある。【００２６】  端末装置４は、携帯可能なパーソナルコンピュータ、タッチパネルを有するタブレット端末などであり、スチームトラップの各種情報をサーバ装置３から受信してモニタなどに表示する。また、スチームトラップの検査結果やメンテナンス履歴等の所定の情報の更新があれば、行使された情報をサーバ装置３に送信する。サーバ装置３は、この更新情報を受信して該当するスチームトラップの各種情報を更新する。【００２７】第２  蒸気供給システムの管理システム１の概要  図２は、スチームトラップ７１の各種情報を表示するウィンドウ５０の一例を示す図である。ウィンドウ５０は、例えばウェブブラウザであり、端末装置４のモニタに表示される。ウィンドウ５０は、情報表示エリア５１、マップ情報表示エリア５２などから構成される。情報表示エリア５１には、蒸気供給システムを構成するスチームトラップ７１を指定するための入力欄５１０が表示される。指定するスチームトラップ７１の識別ＩＤを使用者が入力欄５１０に入力することで、このスチームトラップ７１に関する各種情報（不図示）が情報表示エリア５１に表示される。また、情報表示エリア５１には、交換を実施した時期などの更新情報を入力するウィンドウ（不図示）も設けられている。【００２８】  マップ情報表示エリア５２には、エリアマップ又はプロセスマップが択一的に表示される。図２は、マップ情��表示エリア５２にエリアマップ６０が表示されている状態を示している。エリアマップ６０には、スチームトラップ７１が、例えば輪郭が黒色のアイコン画像「○」として表示されている。なお、以下においては、スチームトラップを示す符号「７１」の後に、特定の識別子、例えば「Ａ」、「Ｂ」等のアルファベット、を付加することによって、特定のスチームトラップ７１を指定する。スチームトラップ７１は、「ＸＸＸＸ−ＸＸＸＸ１」等、スチームトラップ７１の識別ＩＤ７１１とともに表示される。また、エリアマップ６０には、「４Ｃ−１１」等、エリア情報８０も表示される。エリア情報８０は、蒸気供給システムが設置されているプラントなどの敷地を区切って設定される複数のエリアのそれぞれを特定する情報である。なお、図２においては、一部のスチームトラップ７１についてのみ識別ＩＤ７１１を表示している。【００２９】  また、エリアマップ６０では、入力欄５１０で指定された識別ＩＤのスチームトラップが他のスチームトラップと区別される態様で表示される。例えば、図２において、指定された識別ＩＤ「ＸＸＸＸ−ＸＸＸＸ４」のスチームトラップ７１Ａのアイコン画像は、他のスチームトラップ７１とは異なる色（例えば赤色）で表示される。したがって、使用者は、指定したスチームトラップ７１のエリアマップ６０での位置を容易に特定可能である。【００３０】  なお、図２に示すエリアマップ６０は、一部のみが表示されている状態を示している。表示されていない部分については、タッチ操作やカーソルを操作してスクロールバー５３Ａ、５３Ｂを移動させてエリアマップ６０をスクロールさせることで表示可能である。また、マップ情報表示エリア５２には、ウィンドウ５０上に表示されるボタンアイコン（切換ボタン５５）をタッチ操作等することでエリアマップ６０及びプロセスマップ６５（図３参照）の表示が交互に切り換えられる。なお、この実施形態のエリアマップ６０は、スチームトラップ７１のみが表示されているが、他のシステム構成機器を表示してもよい。【００３１】  図３は、マップ情報表示エリア５２にプロセスマップ６５が表示されているウィンドウ５０の一例を示す。プロセスマップ６５は、蒸気供給システムのプロセスを示す図である。プロセスマップ６５では、スチームトラップ７１のアイコン画像の他に、輸送管７２、熱交換器７３、チャンバー７４、圧力調整弁７５などのアイコン画像が、各システム構成機器が同一のプロセスに属することを示すべく互いに関連付けられて、具体的には輸送管７２で連結されて、接続関係が分かるように表示される。なお、スチームトラップ７１などの各アイコン画像は、図３のプロセスマップ６５において点線で示すように、接続部分も含むアイコン画像となっている。これにより、各アイコン画像を予め定められている位置に配置するだけで、各システム構成機器が隣接するシステム構成機器と接続されている状態が表現できる。【００３２】  また、蒸気供給システムにおいては、プロセスの順番は、蒸気供給システムのシステム構成機器の接続関係と一致する。すなわち、使用者は、プロセスマップ６５を視認することでシステム構成機器の接続関係、つまりプロセスを把握することができる。なお、この蒸気供給システムは、周知のシステムであるので構成についての詳細な説明は省略する。また、プロセスマップ６５もエリアマップ６０と同様にスクロールバー５３Ａ、５３Ｂを移動させてスクロールさせることが可能である。【００３３】  プロセスマップ６５では、情報表示エリア５１の入力欄５１０において指定された識別ＩＤのスチームトラップ７１に加え、指定されたスチームトラップ７１にプロセスにおいて関連するシステム構成機器についても、他のシステム構成機器と区別された態様で表示される。例えば、図３において、入力欄５１０において指定された識別ＩＤ「ＸＸＸＸ−ＸＸＸＸ４」のスチームトラップ７１Ａは、他のシステム構成機器（熱交換器７３など）とは異なる色（例えば赤色）で表示される。また、プロセスにおいてスチームトラップ７１Ａと関連するシステム構成機器であるチャンバー７４及び圧力調整弁７５Ａも、他のシステム構成機器とは異なる色（例えば赤色）で表示される。プロセスにおいてスチームトラップと関連するシステム構成機器とは、例えば、スチームトラップ７１の故障が影響するシステム構成機器が該当する。具体的には、運転効率が低下するシステム構成機器等が該当する。これにより、使用者は、高度な知識がなくても、あるスチームトラップ７１が故障するとどのようなシステム構成機器に影響が生じるのかを容易に把握することができる。【００３４】  したがって、例えば、交換時期が到来している複数のスチームトラップ７１が存在する場合、使用者は、どのスチームトラップ７１を優先的に交換すればよいかを、スチームトラップ７１と関連するシステム構成機器の観点から、図３に示すプロセスマップ６５に基づき容易に判断することができる。そして、使用者は、優先的に交換するべきスチームトラップ７１の配置位置を、図２に示すエリアマップ６０に基づき、容易に特定できる。使用者は、交換すべきスチームトラップの場所へ行って交換作業を行えばよい。このようにして、効率的にスチームトラップ７１を管理することができる。なお、使用者は、図２及び図３に示す切換ボタン５５を選択することによって、エリアマップ６０からプロセスマップ６５へ、また、プロセスマップ６５からエリアマップ６０へ、切り換えることができる。【００３５】  例えば、図４に示すような蒸気供給システムを用いて説明する。図４は、ある蒸気供給システムのプロセスマップの一部（以下、プロセスマップ６５Ａとする）を示す図である。なお、図４に示す蒸気供給システムは、図３に示す蒸気供給システムとは異なる構成である。図４に示す蒸気供給システムは、スチームトラップ７１Ｐ〜７１Ｓ、輸送管７０２、ボイラ７０３、蒸気使用機器７０４及び圧力調整弁７０５などから構成されている。【００３６】  図４に示すプロセスマップ６５Ａで示される蒸気供給システムでは、ボイラ７０３で発生した蒸気が輸送管７０２を経由して蒸気使用機器７０４に供給される。スチームトラップ７１Ｐ〜７１Ｒは、輸送管７０２の途中の立下り管にそれぞれ配置され、輸送管７０２にドレンが滞留しないようにドレンを排出する。また、蒸気使用機器７０４の出口側に、スチームトラップ７１Ｓ、圧力調整弁７０５、さらに復水回収ポンプ（���図示）が順に接続される。スチームトラップ７０１Ｓは、蒸気使用機器７０４で発生したドレンを排出する。【００３７】  スチームトラップ７１Ｐ、７１Ｓに交換時期が到来している場合、使用者は、図３に示すウィンドウ５０の入力欄５１０に各スチームトラップの識別ＩＤを入力し、スチームトラップ７１Ｐ、７１Ｓのそれぞれに関連する他のシステム構成機器を表示する図４に示すプロセスマップ６５Ａを、図３に示すウィンドウ５０のマップ情報表示エリア５２に表示させる。このとき、使用者が、スチームトラップ７１Ｐの識別ＩＤを入力していた場合、プロセスにおいてスチームトラップ７１Ｐと関連するシステム構成機器として、領域Ｌ１に含まれるスチームトラップ７１Ｐ、輸送管７０２が赤色で示されたプロセスマップ６５Ａが、マップ情報表示エリア５２に表示される。同様に、使用者が、スチームトラップ７１Ｓの識別ＩＤを入力していた場合、領域Ｌ２に含まれるスチームトラップ７１Ｓ、蒸気使用機器７０４、及び、圧力調整弁７０５が赤色で示されたプロセスマップ６５Ａが、マップ情報表示エリア５２に表示される。したがって、使用者は、スチームトラップと関連するシステム構成機器の観点、例えば、スチームトラップの故障が影響するシステム構成機器の観点から、故障した際に影響を及ぼすシステム構成機器の多いスチームトラップ７１Ｓを、優先的に交換するべきと判断することができる。【００３８】  なお、プロセスにおいて各スチームトラップと関連するシステム構成機器については、蒸気供給システムの過去の管理経験や、蒸気供給システムの特性等から、予め各スチームトラップ等のシステム構成機器毎に設定されている。【００３９】  この実施例では、１つのスチームトラップ７１を指定することができるが、複数のスチームトラップ７１を同時に指定できるようにしてもよい。例えば、２つの入力欄を情報表示エリア５１に設ければよい。そして、図４に示す２つのスチームトラップ７１Ｐ、７１Ｓが指定された場合、互いに異なる色彩、例えば領域Ｌ１のシステム構成機器を赤色で表示し、領域Ｌ２のシステム構成機器を青色で表示すればよい。なお、エリアマップ６０においても同様にすればよい。【００４０】  また、この実施形態では、エリアマップ６０及びプロセスマップ６５の表示が切り換えられた場合であっても、情報表示エリア５１の入力欄５１０におけるスチームトラップ７１（識別ＩＤ）の指定は維持される。したがって、例えば、図２に示すスチームトラップ７１Ａが赤色表示されたエリアマップ６０から、対応するプロセスマップ６５に表示が切り換えられても、図３に示すプロセスマップ６５においてスチームトラップ７１Ａの赤色表示は維持され、且つ、スチームトラップ７１Ａに関連する他のシステム構成機器が赤色表示される。図３に示すプロセスマップ６５から、対応するエリアマップ６０への表示が切り換えられる場合は上記の場合と逆になる。したがって、蒸気供給システムの管理システム１では、エリアマップ６０、プロセスマップ６５の表示が切り換えられるごとにスチームトラップ７１を指定する必要がなく、使用者への利便性が高い。【００４１】  上述したスチームトラップ７１に関連するシステム構成機器の情報は、スチームトラップ７１ごとにサーバ装置３に記憶されている。なお、スチームトラップ７１の情報表示は、図２、図３などのウィンドウ５０の表示態様に限定されるものではなく、どのような表示態様であってもよい。また、プロセスマップ６５では、指定されたスチームトラップ７１も他のシステム構成機器と区別する態様で表示されるが、区別する態様で表示しなくてもよい。【００４２】第３  サーバ装置３の構成  図５は、サーバ装置３のブロック図である。上記の処理を行うため、サーバ装置３は、制御部３０、記憶部３１及び通信部３２などを有している。記憶部３１は、例えばハードディスクやＲＡＭなどで構成されている。また、記憶部３１は、スチームトラップ７１に関する各種情報を示すシステム構成機器カルテ、エリアマップ６０を表示するための基本エリアマップデータ、プロセスマップ６５を表示するための基本プロセスマップデータ、及び、管理システム１のサーバ装置用のプログラムなどを記憶する。制御部３０は、ＣＰＵなどで構成され、記憶部３１に記憶されているサーバ装置用のプログラムを実行してスチームトラップ７１の各種情報を記憶管理する制御を行う。通信部３２は、ネットワーク回線２との通信を制御する。【００４３】  図６（Ａ）に、システム構成機器カルテ９０を、図６（Ｂ）に、基本エリアマップデータを、図６（Ｃ）に、基本プロセスマップデータを、それぞれ示す。【００４４】  図６（Ａ）に示すように、システム構成機器カルテ９０は、１つのスチームトラップ７１に関する各種情報を含み、該当するスチームトラップ７１の識別ＩＤと関連づけられている。スチームトラップまた、システム構成機器カルテ９０には、関連識別ＩＤも含まれている。関連識別ＩＤには、スチームトラップ７１に関連する１以上のシステム構成機器の識別ＩＤが含まれる。この関連識別ＩＤに基づいて、上述したようにスチームトラップ７１に関連するシステム構成機器がプロセスマップ６５において表示される。なお、関連識別ＩＤは、スチームトラップ７１に隣接するシステム構成機器だけが対象ではなく、隣接していなくてもスチームトラップ７１の故障によって影響を受ける等、スチームトラップと関連するシステム構成機器であれば、そのシステム構成機器の識別ＩＤを関連識別ＩＤに含める。なお、記憶部３１には、蒸気供給システムを構成する全てのスチームトラップ７１に関するシステム構成機器カルテ９０が記憶されている。【００４５】  図６（Ｂ）に示すように、基本エリアマップデータ９１には、スチームトラップ７１などのシステム構成機器のエリアマップ６０上での位置座標を示す位置座標情報が含まれる。また、基本エリアマップデータ９１には、各システム構成機器が配置されるエリアを特定するエリア情報が含まれる。図６（Ｃ）に示すように、基本プロセスマップデータ９２には、スチームトラップ７１などのシステム構成機器のプロセスマップ６５上での位置座標を示す位置座標情報が含まれる。この実施形態のエリアマップ６０では、スチームトラップ７１だけが表示されるので、基本エリアマップデータ９１には各スチームトラップ７１の識別ＩＤと位置座標情報とが関連づけられて記憶されている。一方、基本プロセスマップデータ９��には、スチームトラップ７１をはじめ、蒸気供給システムを構成する全てのシステム構成機器の識別ＩＤと位置座標情報とが関連づけられて記憶されている。【００４６】  また、記憶部３１には、エリアマップ６０及びプロセスマップ６５に関連する情報として、各マップ６０、６５用のアイコン等の画像データ、及び、システム構成機器の識別ＩＤとアイコン画像の格納アドレスとが関連づけて記憶されているテーブルも記憶されている。したがって、システム構成機器のアイコン画像は、システム構成機器の識別ＩＤから特定される格納アドレスを用いて取得できる。【００４７】  サーバ装置３は、端末装置４から受信したシステム構成機器の識別ＩＤなどに基づいて、対応するシステム構成機器のシステム構成機器カルテ９０、基本エリアマップデータ９１、基本プロセスマップデータ９２、及び、アイコン等の画像情報などを読み出し、エリアマップ６０及びプロセスマップ６５を生成し、生成したエリアマップ６０及びプロセスマップ６５を含む各種情報のデータを端末装置４に送信する。【００４８】第４  端末装置４の構成  図７は、端末装置４のブロック図である。端末装置４は、上述したように、スチームトラップ７１の各種情報をサーバ装置３から受信してモニタなどに表示する。端末装置４は、制御部４０、記憶部４１、操作部４２、表示部４３及び通信部４４などを有している。記憶部４１は、管理システム１の端末装置用のプログラムなどを記憶する。【００４９】  制御部４０は、ＣＰＵなどで構成され、記憶部４１に記憶されている端末装置用のプログラムを実行してスチームトラップ７１の各種情報の表示制御などを行う。操作部４２は、例えば、キーボード、タッチパネルなどであり、ウィンドウ５０上での識別ＩＤなどの入力操作を受け付ける。表示部４３は、液晶ディスプレイなどのモニタであり、ウィンドウ５０の画像などを表示する。通信部４４は、ネットワーク回線２との通信を制御する。【００５０】第５  フローチャート  図８は、蒸気供給システムの管理システム１が実行するスチームトラップマップ生成及び切換処理を示すフローチャートである。マップ生成及び切換処理は、上述した指定されたスチームトラップ７１の各種情報をウィンドウ５０に表示するための処理である。ステップＳ１０からステップＳ１３の処理は、端末装置４の制御部４０（図７参照）によって実行される。また、ステップＳ２０からステップＳ２８の処理は、サーバ装置３の制御部３０（図５参照）によって実行される。【００５１】  使用者が端末装置４の操作部４２（図７参照）を操作してウィンドウ５０を起動させると、スチームトラップ７１の情報が表示されていない状態のウィンドウ５０が表示部４３（図７参照）に表示される。そして、ウィンドウ５０が表示されたことを契機として、端末装置４の制御部４０は、この送信要求処理を開始する。【００５２】  まず、制御部４０は、システム構成機器の識別ＩＤの入力、又は、マップ表示設定切換の入力がある（ステップＳ１０：ＹＥＳ）まで待機する。制御部４０は、識別ＩＤの入力を、入力欄５１０への識別ＩＤの入力の有無によって判断する。また、制御部４０は、マップ表示設定切換の入力を、ウィンドウ５０上に表示され��切換ボタン５５の選択の有無によって判断する。識別ＩＤ又はマップ表示設定切換の入力があると判断した場合（ステップＳ１０：ＹＥＳ）、制御部４０は、入力欄５１０に入力されている識別ＩＤ、及び、マップ情報表示エリア５２に表示されているマップのマップ種類を、サーバ装置３に送信して、各種情報の送信要求を行う（ステップＳ１１）。そして、制御部４０は、サーバ装置３からの情報を受信する（ステップＳ１２：ＹＥＳ）まで待機する。【００５３】  なお、ステップＳ１１の処理では、制御部４０は、識別ＩＤ及びマップ表示設定切換のいずれの入力であっても、入力欄５１０に入力されている識別ＩＤ、及び、マップ情報表示エリア５２に表示されているマップのマップ種類を送信する。なお、制御部４０は、入力欄５１０に識別ＩＤの入力がされた場合は、マップ情報表示エリア５２に現在表示されているマップのマップ種類を識別ＩＤともにサーバ装置３に送信する。一方、制御部４０は、マップ表示設定切換の入力がされた場合は、現在指定されている識別ＩＤ、現在設定されているマップ種類ではない指定されたマップ種類の情報をサーバ装置３に送信する。これにより、マップ６０、６５の表示が切り換わっても、スチームトラップ７１の指定を維持できる。【００５４】  サーバ装置３の制御部３０は、装置の起動を契機にマップ生成及び切換処理を開始する。まず、制御部３０は、識別ＩＤ及びマップ種類を受信する（ステップＳ２０：ＹＥＳ）まで待機する。制御部３０は、識別ＩＤ及びマップ種類を受信したと判断した場合（ステップＳ２０：ＹＥＳ）、受信した識別ＩＤに対応するシステム構成機器カルテ９０を記憶部３１から読み出す（ステップＳ２１）。次に、制御部３０は、受信したマップ種類がエリアマップであるか、プロセスマップであるかを判断する（ステップＳ２２）。制御部３０は、ステップＳ２２において、受信したマップ種類がエリアマップであると判断すると、基本エリアマップデータ９１を記憶部３１から読み出す（ステップＳ２３）。制御部３０は、取得した基本エリアマップデータ９１を用いて、受信した識別ＩＤに対応するシステム構成機器を他のシステム構成機器とは区別したエリアマップ６０を表示するための表示エリアマップ情報を生成する（ステップＳ２４）。制御部３０は、読み出したシステム構成機器カルテ９０、及び、生成した表示エリアマップデータを、要求のあった端末装置４に送信する（ステップＳ２５）。【００５５】  一方、制御部３０は、ステップＳ２２の処理において受信したマップ種類がプロセスマップであると判断すると、基本プロセスマップデータ９２を記憶部３１から読み出す（ステップＳ２６）。制御部３０は、取得した基本プロセスマップデータ９２を用いて、受信した識別ＩＤに対応するシステム構成機器の関連システム構成機器情報に対応するシステム構成機器を他のシステム構成機器とは区別したプロセスマップ６５を表示するための表示プロセスマップ情報を生成する（ステップＳ２７）。制御部３０は、読み出したシステム構成機器カルテ９０、及び、生成した表示プロセスマップデータを、要求のあった端末装置４に送信する（ステップＳ２８）。そして、制御部３０は、ステップＳ２０の処理に��って、サーバ装置３の起動が終了するまで上記処理を継続する。なお、指定した識別ＩＤに対応するシステム構成機器を他のシステム構成機器とは区別したエリアマップ６０、指定した識別ＩＤに対応するシステム構成機器の関連システム構成機器情報に対応するシステム構成機器を他のシステム構成機器とは区別したプロセスマップ６５の生成に必要な基本エリアマップデータ９１及び基本プロセスマップデータ９２等を、サーバ装置３から端末装置４に送信して、端末装置４が所定の表示エリアマップ情報及び表示プロセスマップ情報を生成してもよい。【００５６】  そして、端末装置４の制御部４０は、サーバ装置３から情報を受信した場合（ステップＳ１２：ＹＥＳ）、これらの情報に基づいて、ウィンドウ５０の表示を更新する（ステップＳ１３）。そして、制御部４０は、ステップＳ１０の処理に戻って、ウィンドウ５０が閉じられるまで上記処理を継続する。【００５７】  以上のように、蒸気供給システムの管理システム１は、蒸気供給システムのシステム構成機器の配置位置を示すエリアマップ６０に加え、システム構成機器（スチームトラップ７１）に関連する他のシステム構成機器を示すプロセスマップ６５を表示する。したがって、システム構成機器に対する使用者が、対象のシステム構成機器（スチームトラップ７１）と他のシステム構成機器との関連性を容易に把握することができる。これにより、使用者は、関連性に基づいて作業の優先度などを容易に判断することができ、より効率的にプロセスシステム（蒸気供給システム）の機能を維持管理することができる。
【実施例２】
【００５８】  この実施例の管理システム１００は、実施例１の管理システム１と同様に、システム構成機器の１つであるスチームトラップ７１についての情報管理を行い、ウィンドウ５０においてスチームトラップ７１の各種情報を表示する。また、管理システム１００は、第１実施形態とは異なり、エリアマップ６０及びプロセスマップ６５において、スチームトラップ７１の動作状態も表示する。以下、主として第１実施形態と異なる構成について説明する。【００５９】第１  プロセスシステム（蒸気供給システム）の管理システム１００の構成  図９は、プロセスシステムの管理システム１００の構成を示す図である。管理システム１００は、サーバ装置３００及び複数の端末装置４などから構成される。サーバ装置３００は、実施例１と同様に、ネットワーク回線２を介して複数の端末装置４に接続され、蒸気供給システムに設けられた複数のスチームトラップ７１の各種情報を記憶管理する。【００６０】第２  蒸気供給システムの管理システム１００の概要  図１０及び図１１は、スチームトラップ７１の各種情報を表示するウィンドウ５０の一例を示す図である。図１０はエリアマップ６０が表示された状態であり、図１１はプロセスマップ６５が表示された状態を示す。なお、図１０及び図１１は、実施例１の図２及び図３と同様の蒸気供給システムのエリアマップ６０、プロセスマップ６５を表示している。【００６１】  ウィンドウ５０は、実施例１と同様に、情報表示エリア５１、マップ情報表示エリア５２などから構成される。情報表示エリア５１には、実施例１と同様に、スチームトラップ７１を指定するための入力欄５１０等が表示される。また、図１０及び図１１には、実施例１において図示を省略した更新情報を入力するウィンドウの一部（検査結果入力欄５２０）が図示されている。使用者が検査結果入力欄５２０にスチームトラップ７１の検査結果を入力することで、端末装置４からサーバ装置３００にスチームトラップ７１の検査結果（更新情報）が送信される。詳細は後述する。【００６２】  マップ情報表示エリア５２には、実施例１と同様にエリアマップ６０及びプロセスマップ６５が択一的に表示される。プロセスマップ６５では、実施例１と同様に、入力欄５１０で指定された識別ＩＤのスチームトラップ７１（アイコン画像）が他のスチームトラップ７１（他のシステム構成機器）と区別される態様で表示される。具体的には、指定されたスチームトラップ７１のアイコン画像の輪郭部分が他のスチームトラップ７１のアイコン画像の表示色とは異なる色（例えば赤色）で表示される。また、プロセスマップ６５においても、実施例１と同様に、情報表示エリア５１の入力欄５１０において指定された識別ＩＤのスチームトラップ７１に加え、指定されたスチームトラップ７１にプロセスにおいて関連するシステム構成機器について、他のシステム構成機器と区別された態様で表示される。具体的には、エリアマップ６０の表示態様と同様に、指定されたスチームトラップ７１及び関連するシステム構成機器のアイコン画像の輪郭部分が他のシステム構成機器のアイコン画像の表示色とは異なる色（例えば赤色）で表示される。【００６３】  また、この実施例では、実施例１と��異なり、入力欄５１０での指定に関係なく、各アイコン画像が、対応するスチームトラップ７１の動作状態に応じて異なる態様で表示される。具体的には、ハッチングが付されていないアイコン画像（例えばスチームトラップ７１Ｂ２）は、対応するスチームトラップ７１が正しい動作状態である正常状態であることを示す。縦の平行線のハッチングが付されたアイコン画像（例えばスチームトラップ７１Ａ２、７１Ｄ２）は、対応するスチームトラップ７１が故障などにより正常ではない動作状態である異常状態であることを示す。また、横の平行線のハッチングが付されたアイコン画像（例えばスチームトラップ７１Ｃ２）は、対応するスチームトラップ７１の動作が停止した状態である休止状態を示す。スチームトラップの動作状態の判定処理については後述する。【００６４】  したがって、例えば、異常状態のスチームトラップ７１Ａ２が指定されている場合、エリアマップ６０では、スチームトラップ７１Ａ２のアイコン画像は、輪郭が赤色で、且つ、縦の平行線のハッチング（例えば赤色）が付された態様で表示される。また、プロセスマップ６５でも、スチームトラップ７１Ａ２のアイコン画像は、輪郭が赤色で、且つ、縦の平行線のハッチング（例えば赤色）が付された態様で表示される。さらに、スチームトラップ７１Ａ２と関連するシステム構成機器であるチャンバー７４２及び圧力調整弁７５Ａ２のアイコン画像も輪郭が赤色の態様で表示される。【００６５】  なお、動作状態の表示態様は、上述した態様（形状、色彩、模様）に限定されるものではない。使用者が各動作状態を特定できればよく、例えば、形状などは同一であるが、点滅間隔を各動作状態で異なるようにしてもよい。【００６６】第３  サーバ装置３００の構成  図１２は、サーバ装置３００のブロック図である。上記の処理を行うため、サーバ装置３００は、制御部３０１、記憶部３１０及び通信部３２などを有している。制御部３０１は、実施例１と同様にスチームトラップ７１の各種情報を記憶管理する制御を行う。記憶部３１０は、実施例１と同様にシステム構成機器カルテ９００、基本エリアマップデータ９１（不図示）、基本プロセスマップデータ９２（不図示）などを記憶する。【００６７】  また、記憶部３１０には、エリアマップ６０及びプロセスマップ６５に関連する情報として、各マップ用のアイコン画像等の画像データが記憶されている。ここで、アイコン画像の画像データは、表示態様（ハッチング無、横又は縦の平行線のハッチング有）毎に記憶されている。すなわち、同一のスチームトラップ７１のアイコン画像であっても、動作状態に応じた３種類のアイコン画像が各マップ用にそれぞれ記憶されている。また、記憶部３１０には、システム構成機器の識別ＩＤとアイコン画像の格納アドレスとが関連づけて記憶されているテーブルも記憶されている。したがって、サーバ装置３００は、システム構成機器のアイコン画像を、システム構成機器の識別ＩＤから特定される格納アドレスを用いて取得できる。なお、スチームトラップ７１においては、システム構成機器の識別ＩＤ及び動作状態から特定される格納アドレスを用いてアイコン画像を取得すればよい。例えば、スチームトラップ７１の識別ＩＤ���ら特定される格納アドレスに、動作状態に応じた値を加算することで得られるアドレスを用いて取得できる。また、指定されたスチームトラップ７１の場合には、取得したアイコン画像の輪郭やハッチングの表示色を赤色に設定する処理を行えばよい。【００６８】  図１３は、記憶部３１０に記憶されているシステム構成機器カルテ９００を示す図である。システム構成機器カルテ９００には、実施例１のシステム構成機器カルテ９０とほぼ同様の構成であるが、スチームトラップ７１の動作状態の情報が登録されている構成で異なる。動作状態には、上述した３つの動作状態のいずれかが設定される。動作状態の判定は、検査結果に基づいてサーバ装置３００（制御部３０１）が行う。【００６９】第４  スチームトラップ７１の動作状態判定  スチームトラップ７１の動作状態は、スチームトラップ７１の外表面の超音波レベルの振動及び温度と、スチームトラップの周囲温度に基づいて判定される。上記振動及び２つの温度は、振動温度用センサを用いて検出される。検出された振動等を、判定基準情報（例えば、トラップ型式、温度、振動、蒸気漏れ量などの相関データ）に照合して蒸気漏れ量を推定することで上述した３つの動作状態が判定される。なお、判定基準情報は、記憶部３１０に記憶しておけばよい。【００７０】  上述したスチームトラップ７１の振動等の検出は、例えば、使用者が各スチームトラップ７１の配設された場所に行き、上記センサを備えた可搬式の収集器をスチームトラップに接触させることで行われる。そして、検出（検査）結果は、上述したように端末装置４の検査結果入力欄５２０から入力する。端末装置４は、対応するスチームトラップ７１の機器識別ＩＤとともに、検査結果をサーバ装置３００に送信する。サーバ装置３００は、検査結果から動作状態を判定し、この検査結果及び判定結果（動作状態）を、対応するスチームトラップ７１（機器識別ＩＤ）のシステム構成機器カルテ９００に登録（更新）する。【００７１】  また、例えば、上記センサ及び通信機能を有する収集装置を上記センサがスチームトラップ７１の外表面に接触する状態で設置し、使用者を介さずに収集装置が定期的に検出を行うようにしてもよい。この場合、検出結果は、収集装置から無線通信等でサーバ装置３００に送信される。なお、上記検出および動作状態判定は、特開２０１０−１４６１８６号公報等に記載されているように公知の技術であるので詳細説明は省略する。【００７２】第５  フローチャート  図１４は、蒸気供給システムの管理システム１００が実行するスチームトラップの状態情報の更新処理を示すフローチャートである。更新処理は、上述したように検査結果に基づいてスチームトラップ７１の動作状態の判定を行い、対応するシステム構成機器カルテ９００の検出結果及び動作状態を更新するための処理である。更新処理は、サーバ装置３００（制御部３０１）によって実行される。また、更新処理は、例えば、端末装置４から検査結果の更新情報を受信した場合に実行される。端末装置４は、入力欄５１０及び検査結果入力欄５２０においてスチームトラップ７１の識別ＩＤ及び検査結果が入力され、検査結果更新ボタン（不図示）が操作された後、検査結果を識別ＩＤ��ともにサーバ装置３００に送信する。【００７３】  制御部３０１は、最初に、受信した検査結果に基づいて、対応するスチームトラップ７１の動作状態を判定する（ステップＳ５０）。次に、制御部３０１は、受信した識別ＩＤ（スチームトラップ７１）に対応するシステム構成機器カルテ９００の検査結果及び動作状態の設定内容を変更（更新）する（ステップＳ５１）。【００７４】  なお、この実施形態では、サーバ装置３００（制御部３０１）が、スチームトラップ７１の動作状態を判定しているが、特にこれに限定されるものではない。管理システム１００において、少なくともスチームトラップ７１の動作状態を記憶していればよい。したがって、例えば、端末装置４において使用者が検査結果を入力するのに代えて、使用者が検査結果に基づく動作状態を入力し、端末装置４は識別ＩＤ及び動作状態の情報をサーバ装置３００に送信するようにしてもよい。あるいは、サーバ装置３００と通信可能に接続された別のサーバ装置が検査結果に基づいて判定した動作状態の情報を、サーバ装置３００が受信するようにしてもよい。【００７５】  図１５は、蒸気供給システムの管理システム１００が実行するスチームトラップマップ生成及び切換処理を示すフローチャートである。マップ生成及び切換処理は、実施例１と同様に、指定されたスチームトラップ７１の各種情報をウィンドウ５０に表示するための処理である。なお、実施例１のマップ生成及び切換処理と同様の処理については説明を一部省略する。【００７６】  制御部４０は、識別ＩＤ又はマップ表示設定切換の入力があると判断した場合（ステップＳ１０：ＹＥＳ）、入力欄５１０に入力されている識別ＩＤ、及び、マップ情報表示エリア５２に表示されているマップのマップ種類をサーバ装置３００に送信し、各種情報の送信要求を行う（ステップＳ１１）。そして、制御部４０は、サーバ装置３００からの情報を受信する（ステップＳ１２：ＹＥＳ）まで待機する。なお、使用者が検査結果を入力する際において、入力欄５１０に識別ＩＤを入力した場合であっても、ステップＳ１０の処理において識別ＩＤの入力があると判断して処理を進めればよい。【００７７】  サーバ装置３００の制御部３０１は、識別ＩＤ及びマップ種類を受信したと判断した場合（ステップＳ２０：ＹＥＳ）、受信した識別ＩＤに対応するシステム構成機器カルテ９００を記憶部３１０から読み出す（ステップＳ２１）。次に、制御部３０１は、受信したマップ種類がエリアマップ６０であるか、プロセスマップ６５であるかを判断する（ステップＳ２２）。制御部３０１は、ステップＳ２２において、受信したマップ種類がエリアマップ６０であると判断すると、基本エリアマップデータ９１を記憶部３１０から読み出す（ステップＳ２３）。そして、制御部３０１は、取得した基本エリアマップデータ９１及びシステム構成機器カルテ９００等を用いて、受信した識別ＩＤに対応するシステム構成機器を他のシステム構成機器とは区別したエリアマップ６０を表示するための表示エリアマップ情報を生成する（ステップＳ２４−Ａ）。制御部３０１は、読み出したシステム構成機器カルテ９００、及び、生成した表示エリアマップデータを、要求のあった端末装置４���送信する（ステップＳ２５）。【００７８】  一方、制御部３０１は、ステップＳ２２の処理において受信したマップ種類がプロセスマップ６５であると判断すると、基本プロセスマップデータ９２を記憶部３１０から読み出す（ステップＳ２６）。そして、制御部３０１は、取得した基本プロセスマップデータ９２及びシステム構成機器カルテ９００等を用いて、受信した識別ＩＤに対応するシステム構成機器の関連システム構成機器情報に対応するシステム構成機器を他のシステム構成機器とは区別したプロセスマップ６５を表示するための表示プロセスマップ情報を生成する（ステップＳ２７−Ａ）。制御部３０１は、読み出したシステム構成機器カルテ９００、及び、生成した表示プロセスマップデータを、要求のあった端末装置４に送信する（ステップＳ２８）。【００７９】  そして、端末装置４の制御部４０は、サーバ装置３００から情報を受信した場合（ステップＳ１２：ＹＥＳ）、これらの情報に基づいて、ウィンドウ５０の表示を更新する（ステップＳ１３）。【００８０】  以上のように、この実施形態の管理システム１００は、実施例１と同様の効果を奏することができる。さらに、特定のシステム構成機器（スチームトラップ７１）の動作状態をエリアマップ６０及びプロセスマップ６５から把握することができるので、使用者は、より効率的にプロセスシステム（蒸気供給システム）の機能を維持・管理することができる。【００８１】  なお、この実施形態では、スチームトラップ７１の動作状態をエリアマップ６０及びプロセスマップ６５において表示していたが、他のシステム構成機器の動作状態も表示するようにしてもよい。【００８２】［他の実施形態］  なお、こ上述した実施例の管理システム１、１００では、スチームトラップ７１のみを管理しているが、特にこれに限定されるものではなく、全てのシステム構成機器に適用可能である。この場合、全てのシステム構成機器のカルテ９０、９００を記憶しておけばよい。【００８３】  また、上述した実施例では、エリアマップ６０とプロセスマップ６５とが切り換えて表示されているが、マップ情報表示エリア５２を２つ設けて同時に表示するようにしてもよい。また、スチームトラップ７１を指定でき、エリアマップ６０及びプロセスマップ６５を表示できれば、ウィンドウ５０の情報表示エリア５１の表示はなくてもよい。【００８４】  さらに、上述した実施例では、入力欄５１０に識別ＩＤを入力することで、スチームトラップ７１を指定しているが、特にこれに限定されるものではない。例えば、エリアマップ６０、プロセスマップ６５に表示されているスチームトラップ７１のアイコン画像をタッチ操作等、所定の入力部を介した操作によって選択することで指定するようにしてもよい。上述したように、各アイコン画像の位置座標は記憶部３１、３１０に記憶されているので、サーバ装置３、３００は、タッチ操作等された位置座標に対応するアイコン画像を特定することが可能である。この場合、端末装置４は、ステップＳ１１の処理において、識別ＩＤに代えてタッチ操作等された位置座標の情報（位置情報）をサーバ装置３、３００に送信してやればよい。又は、端末装置４が、位置座標ではなくタッチ操作等によ��て選択されたスチームトラップ７１の識別ＩＤを特定してサーバ装置３、３００に送信してもよい。この場合、予めエリアマップ及びプロセスマップの各アイコン画像に識別ＩＤをリンクさせておけばよい。この場合、スチームトラップ７１の識別ＩＤが位置情報に相当する。また、例えば、エリアマップ６０に表示されているスチームトラップ７１のアイコン画像を選択することで、表示をプロセスマップ６５に切り換えるとともに、選択されたスチームトラップ７１のアイコン画像及び関連するシステム構成機器を上述したように他と区別する態様で表示するようにしてもよい。【００８５】  さらに、上述した実施例では、プロセスマップ６５において、指定されたスチームトラップ７１に関連するシステム構成機器を単に赤色で表示しているが、特にこれに限定されるものではない。例えば、サーバ装置３の記憶部３１に記憶されているカルテ９０、９００の関連識別ＩＤの数の大小に応じて段階的に表示態様を変更してもよい。具体的には、関連識別ＩＤ数が１以上で所定値未満の場合、サーバ装置３、３００は、該当するシステム構成機器を例えば黄色で表示するように制御する。また、関連識別ＩＤ数が所定値以上の場合、サーバ装置３、３００は、該当するシステム構成機器を例えば赤色で表示するように制御する。これにより、スチームトラップ７１の関連しているシステム構成機器の大小を容易に把握できる。【００８６】  また、関連するシステム構成機器の重要度に基づいて表示態様を変更してもよい。例えば、システム構成機器の識別ＩＤとその重要度（数値情報）とを関連付けて記憶部３１、３１０に記憶する。そして、指定されたスチームトラップに関連する関連識別ＩＤの重要度の合計値に基づいて表示態様を変更する。具体的には、上述したように、１以上所定値未満の場合は例えば黄色表示とし、所定値以上の場合は例えば赤色表示とすればよい。これにより、より詳細にスチームトラップの交換などの優先度を判断することができる。【００８７】  さらに、上述した実施例の管理システム１、１００は、サーバ装置３、３００及び端末装置４などから構成されているが、サーバ装置３、３００の機能も備えた単一の端末装置が管理システム全体を構成してもよい。この場合、ネットワーク回線２及びサーバ装置３、３００は不要となる。
【産業上の利用可能性】
【００８８】  この発明は、蒸気使用機器に蒸気を供給する蒸気供給システムが適用される発電設備の蒸気プラントなどを製造、販売、運用等する産業分野で利用することができる。
【符号の説明】
【００８９】  １、１００  管理システム  ２  ネットワーク回線  ３、３００  サーバ装置  ４  端末装置  ３０、３０１  制御部（サーバ装置）  ３１、３１０  記憶部（サーバ装置）  ３２  ネットワーク通信部  ４０  制御部（端末装置）  ４１  記憶部（端末装置）  ４２  操作部（端末装置）  ４３  表示部（端末装置）  ６０  エリアマップ  ６５  プロセスマップ  ７１  スチームトラップ  ９０、９００  カルテ  ９５  エリアマップデータ  ９６  プロセスマップデータ
【図１】
0005921775.tif 000002
【図２】
0005921775.tif 000003
【図３】
0005921775.tif 000004
【図４】
0005921775.tif 000005
【図５】
0005921775.tif 000006
【図６】
0005921775.tif 000007
【図７】
0005921775.tif 000008
【図８】
0005921775.tif 000009
【図９】
0005921775.tif 000010
【図１０】
0005921775.tif 000011
【図１１】
0005921775.tif 000012
【図１２】
0005921775.tif 000013
【図１３】
0005921775.tif 000014
【図１４】
0005921775.tif 000015
【図１５】
0005921775.tif 000016